(57)【要約】【課題】  抄紙用フェルトの幅よりも狭い帯状体を、螺旋状に巻回することによって形成された基布を使用しても、基布やフェルトの製造時あるいはフェルトの使用時に皺入りや片寄りが発生しない抄紙用フェルトの基布および抄紙用フェルトを提供すること。【解決手段】  抄紙用フェルトの基布について、抄紙用フェルトの幅よりも狭い帯状体を螺旋状に巻回することによって形成された巻回方向が異なる２つの基布と、抄紙用フェルトの機械方向に平行な複数の地経糸を有する少なくとも１つの基布を任意の順で積層配置する。【選択図】  図１
2017197896.tif 000002
【特許請求の範囲】
【請求項１】
少なくとも、第一基布と第二基布と第三基布を有し、前記第一基布、前記第二基布、前記第三基布が任意の順序で積層された抄紙用フェルトの基布と少なくとも一層のバット層が一体化された抄紙用フェルトであって、
前記第一基布は、複数の地経糸、複数の地緯糸、地経糸方向に平行な第一側縁、地経糸方向に平行な第二側縁を有する抄紙用フェルトの幅よりも狭い幅の帯状体を、前記第一側縁及び前記第二側縁が隣接するように螺旋状に右巻きに巻回することによって、側縁同士を接合し形成される基布であり、
前記第二基布は、複数の地経糸、複数の地緯糸、地経糸方向に平行な第一側縁、地経糸方向に平行な第二側縁を有する抄紙用フェルトの幅よりも狭い幅の帯状体を、前記第一側縁及び前記第二側縁が隣接するように螺旋状に左巻きに巻回することによって、側縁同士を接合し形成される基布であり、
前記第三基布は、少なくとも、抄紙用フェルトの機械方向に平行な複数の地経糸を有する基布である、抄紙用フェルト。
【請求項２】
前記第三基布の経糸方向強力が、前記第一基布の経糸方向強力または前記第二基布の経糸方向強力の１０％以上である、請求項１に記載の抄紙用フェルト。
【請求項３】
前記第三基布の経糸方向強力が、前記第一基布の経糸方向強力または前記第二基布の経糸方向強力の５０％以上である、請求項１または２に記載の抄紙用フェルト。
【請求項４】
前記第三基布の経糸方向強力が、前記第一基布の経糸方向強力または前記第二基布の経糸方向強力の１００％以上である、請求項１から３のいずれか一項に記載の抄紙用フェルト。
【請求項５】
前記第一基布の帯状体及び前記第二基布の帯状体の幅寸法が、５０ｃｍ〜１５０ｃｍである、請求項１から４のいずれか一項に記載の抄紙用フェルト。
【請求項６】
前記第一基布の帯状体及び前記第二基布の帯状体の幅寸法が、同一である、請求項１から５のいずれか一項に記載の抄紙用フェルト。
【請求項７】
前記第一基布の帯状体及び前記第二基布の帯状体が、同一の材質である、請求項１から６のいずれか一項に記載の抄紙用フェルト。
【請求項８】
前記第一基布の帯状体及び前記第二基布の帯状体が、同一の織布である、請求項１から７のいずれか一項に記載の抄紙用フェルト。
【請求項９】
前記第三基布は、複数の地経糸、複数の地緯糸、地緯糸方向に平行な第一端縁、地緯糸方向に平行な第二端縁、地経糸方向に平行な第一側縁、地経糸方向に平行な第二側縁を有する抄紙用フェルトの幅よりも狭い幅の帯状体を、前記第一端縁及び前記第二端縁が隣接するように、端縁同士を接合して得られるＮ以上（Ｎ≧２）の環状帯状体を機械横断方向に配置し、Ｎ−１番目の環状帯状体の前記第二側縁及びＮ番目の環状帯状体の前記第一側縁が隣接するように、側縁同士を接合し形成される基布である、請求項１から８のいずれか一項に記載の抄紙用フェルト。
【請求項１０】
前記第三基布の帯状体の幅寸法が、５０ｃｍ〜５００ｃｍである、請求項９に記載の抄紙用フェルト。
【請求項１１】
前記第一基布の帯状体及び前記第二基布の帯状体及び前記第三基布の帯状体の幅寸法が、同一である、請求項９または１０に記載の抄紙用フェルト。
【請求項１２】
前記第一基布の帯状体及び前記第二基布の帯状体及び前記第三基布の帯状体が、同一の材質である、請求項９から１１のいずれか一項に記載の抄紙用フェルト。
【請求項１３】
前記第三基布の帯状体が、織布である、請求項９から１２のいずれか一項に記載の抄紙用フェルト。
【請求項１４】
前記第一基布の帯状体及び前記第二基布の帯状体及び前記第三基布の帯状体が、同一の織布である、請求項９から１３のいずれか一項に記載の抄紙用フェルト。
【請求項１５】
前記第三基布は、複数の地経糸、複数の地緯糸を有し、地緯糸の長さが抄紙用フェルトの幅寸法を規定するように、形成される基布である、請求項１から８のいずれか一項に記載の抄紙用フェルト。
【請求項１６】
前記第三基布が、前記第一基布と前記第二基布の間に配置される、請求項１から１５のいずれか一項に記載の抄紙用フェルト。
【請求項１７】
前記第三基布が、基布の最上部に配置される、請求項１から１５のいずれか一項に記載の抄紙用フェルト。
【請求項１８】
前記第三基布が、基布の最下部に配置される、請求項１から１５のいずれか一項に記載の抄紙用フェルト。
【請求項１９】
第一基布と第二基布と第三基布と第四基布を有し、前記第一基布、前記第二基布、前記第三基布、前記第四基布が任意の順序で積層された抄紙用フェルトの基布と少なくとも一層のバット層が一体化された抄紙用フェルトであって、
前記第四基布は、少なくとも、抄紙用フェルトの機械方向に平行な複数の地経糸、または、抄紙用フェルトの機械横断方向に平行な複数の地緯糸を有する基布である、請求項１から１５のいずれか一項に記載の抄紙用フェルト。
【発明の詳細な説明】
【技術分野】
【０００１】
本発明は、抄紙機に使用される抄紙用フェルト（以下単に「フェルト」ということもある。）に関する。
【背景技術】
【０００２】
紙の原料から水分を除去する抄紙機は、一般的にワイヤーパートとプレスパートとドライヤーパートとを備えている。これらワイヤーパート、プレスパートおよびドライヤーパートは、湿紙の搬送方向に沿ってこの順番に配置されている。湿紙は、抄紙機の進行方向（ＭＤ：Ｍａｃｈｉｎｅ  Ｄｉｒｅｃｔｉｏｎ）に垂直な方向（ＣＭＤ：Ｃｒｏｓｓ  Ｍａｃｈｉｎｅ  Ｄｉｒｅｃｔｉｏｎ）に一定の幅をもって帯状に抄紙機内を移動し、ワイヤーパート、プレスパート、およびドライヤーパートそれぞれに取り付けられた抄紙用具に次々と受け渡されながら搬送されるとともに搾水され、最終的にはドライヤーパートで乾燥される。
【０００３】
プレスパートに配置されたプレス装置は、湿紙の搬送方向に沿って直列に並設された複数のプレス装置を具備する。各プレス装置は、無端状のフェルト、あるいは有端状のフェルトを抄紙機上で連結し無端状にしたフェルトと、当該フェルトそれぞれの一部を間に挟むように上下に対向配置される一対のロール（即ち、ロールプレス）あるいはロールおよびシューを内包する円筒ベルト（即ち、シュープレス）とを有しており、略同一速度で同一方向に走行するフェルトにより搬送されてくる湿紙を、該フェルトと共にロールとロールあるいはロールとシューを内包する円筒ベルトとでプレス・加圧することにより、該湿紙から水分を連続的に脱水する。
【０００４】
プレス装置に用いられるフェルトの要求機能としては、搾水性、平滑性、走行安定性等がある。搾水性とは、湿紙に含まれる水分の除去の程度をいう。この機能を果たすためには、フェルトが優れた圧縮回復特性を有すること、即ち、フェルト無加圧時に、フェルト中にこの水分を除去するための空間（ボイドボリューム）が存在し、フェルト加圧時に、フェルトの密度が最大となって、この空間の容積が減少することによって、水分がフェルト外に放出されることが重要である。また、この搾水性はフェルトの使用期間中維持され、更に除去された水分が再び湿紙に戻らないこと（再湿防止）も重要である。
【０００５】
平滑性とは、湿紙表面、フェルト表面（加圧下のフェルト表面も含む）の平滑性のことである。湿紙はフェルトを介して加圧されるため、フェルト表面状態が、湿紙表面に転写される。従って、湿紙の表面を平滑にするためには、フェルトの表面（加圧下のフェルトの表面も含む）を平滑にしなければならない。
【０００６】
走行安定性とは、プレス装置に配置された無端状のフェルトが、片寄りおよび蛇行、並びに振動、波打ち等が発生せずに、安定して走行することである。
【０００７】
新聞紙、上質紙、板紙、家庭紙などのように、紙には様々な種類があり、またこれらを製造する抄紙機にも様々な種類がある。現在、これらの紙や抄紙機に合わせて、様々な種類の抄紙用フェルトが製造されているが、一般的にこのフェルトは、基布に不織繊維材料のバット層を一体化させることによって形成される。基布は、例えば、モノフィラメント糸、モノフィラメント撚糸、マルチフィラメント糸またはマルチフィラメント撚糸から構成される織布でもよく、この織布は、一重品でも、多重品でもよく、またこれらを積層したラミネート構造でもよい。この糸は、一般に、抄紙用具技術分野の当業者がこの目的のために使用するポリアミド樹脂やポリエステル樹脂などの合成高分子樹脂のいずれかの押し出し成型されたもの、羊毛等の動物性繊維、綿、麻等の植物性繊維を使用する。
【０００８】
上記基布には、様々な種類の織布があり、例えば、織機上で無端状となるように製織したり（袋織）、平織された有端状の織布の端部同士を縫合して無端状としたり、また、有端状織布の二つの機械横断方向の端部にシームループを形成し、抄紙機上で両端部のシームループを噛み合わせ、この共通孔内に芯線を挿入することで、無端状としたものがある。
【０００９】
いずれにしても、この基布は、無端状の形態、または無端状の形態に継ぎ合わせが可能であり、この基布（フェルト）の丈寸法及び巾寸法は、各抄紙機械に対応した寸法を有する。当然ながら、各抄紙機は種々の寸法を備えているため、フェルトの基布（フェルト）は、完全なオーダーメードで製造される。
【００１０】
種々の寸法に適合させた基布を織機で製織することは、非常に生産性が悪く、また歩留まりも悪い。これらの基布をより効率的に製造するために、抄紙用フェルトの基布が、抄紙用フェルトの幅寸法よりも狭い幅の帯状体を螺旋状に巻回して、帯状体の側縁部同士を接合し、形成された基布を、抄紙用フェルトの基布として用いたものが提案されている（例えば特許文献１〜８）。また、抄紙用フェルトの幅寸法よりも狭い帯状体を螺旋状に巻回して、帯状体の側縁部同士を接合し、形成された基布を、折り畳んで、その折り目部にシームループを形成したもの（例えば特許文献９〜１２）、更に、抄紙用フェルトの幅寸法よりも狭い帯状体を螺旋状に巻回して、帯状体の側縁部同士を接合し、形成された基布と無端状基布を積層させたもの（例えば特許文献１３〜１５）が提案されている。
【先行技術文献】
【特許文献】
【００１１】
【特許文献１】特表平０６−５０３３８５号公報
【特許文献２】特開平１０−２２６９７８号公報
【特許文献３】特開２０００−０２７０８９号公報
【特許文献４】特開２０００−３０３３７８号公報
【特許文献５】特開２００１−０４０５９４号公報
【特許文献６】特表２００４−５１０８９６号公報
【特許文献７】特表２００４−５２６８７７号公報
【特許文献８】特表２００６−５０４８７３号公報
【特許文献９】特表平１０−５１３５１１号公報
【特許文献１０】特開２０００−０８０５８５号公報
【特許文献１１】特開２０００−０８０５８６号公報
【特許文献１２】特表２００５−５２１８０７号公報
【特許文献１３】特表２０００−５０９７７２号公報
【特許文献１４】特開２０００−０８０５８４号公報
【特許文献１５】特開２００１−００３２９０号公報
【発明の概要】
【発明が解決しようとする課題】
【００１２】
上記先行技術文献に開示される抄紙用フェルトの基布に用いる帯状体は、大型織機を準備する必要性がなく、これにより歩留も向上し、また抄紙用フェルトの寸法に関係なく帯状体を貯蔵できるという観点から、非常に製造コストを低減できるものである。そして帯状体を利用した基布を複数層積層する構成においては特に効率的である。ただし、帯状体を螺旋状に巻回して形成された基布に、シームループを設けることは、帯状体の緯糸方向と、基布の幅方向（ＣＭＤ）が一致していない為、非常に製造難易度が高く、より多くのシームループ構成時間を必要とすることから製造コストも大きくなる。
【００１３】
更に、この帯状体を螺旋状に巻回して構成された基布（フェルト）は、製造時あるいは使用時に皺が入ってしまう懸念がある。一般的に、基布（フェルト）は、少なくとも２本の平行に配置されたロールに基布を掛け入れ、張力を掛けながら製造される。ここで、帯状体を螺旋状に巻回して構成された基布は、帯状体の経糸方向と、基布の進行方向（ＭＤ）が異なり、帯状体の経糸方向は、基布の進行方向に対して一定の傾きを有している。そして、この基布に張力が加えられると、帯状体の経糸はロール間距離の最小値、すなわち、基布の進行方向（ＭＤ方向）に平行になろうとする力が働き、この結果、基布に皺が入ってしまう恐れがある。この皺入りの問題については、基布にバット繊維が絡合一体化されたフェルト製造時でも、完成されたフェルトが抄紙機で使用される際においても、基布の製造時同様、起こり得る。
【００１４】
また、抄紙用フェルトの幅寸法よりも狭い幅の帯状体を螺旋状に巻回して、帯状体の側縁部同士を接合し、形成された基布を３層用いたものを抄紙用フェルトの基布とした場合、各基布の帯状体の巻回方向は、３層全てが同一方向、または、右巻き（左巻き）が２層で左巻き（右巻き）が１層のいずれかになる。この場合、基布全体としての巻回方向のバランスが悪く、フェルト製造時、あるいはフェルト使用時に片寄りが発生してしまう恐れがある。
【００１５】
本発明は、抄紙用フェルトの幅よりも狭い帯状体を、螺旋状に巻回することによって形成された基布を使用しても、基布やフェルトの製造時あるいはフェルトの使用時に皺入りや片寄りが発生しない抄紙用フェルトの基布および抄紙用フェルトを提供するものである。
【課題を解決するための手段】
【００１６】
本発明は、上記課題を解決するために、抄紙用フェルトの基布について、抄紙用フェルトの幅よりも狭い帯状体を螺旋状に巻回することによって形成された巻回方向が異なる２つの基布と、抄紙用フェルトの機械方向に平行な複数の地経糸を有する少なくとも１つの基布を任意の順で積層配置することによって達成でき、具体的には、以下の技術を適用したものである。
【００１７】
（１）少なくとも、第一基布と第二基布と第三基布を有し、前記第一基布、前記第二基布、前記第三基布が任意の順序で積層された抄紙用フェルトの基布と少なくとも一層のバット層が一体化された抄紙用フェルトであって、前記第一基布は、複数の地経糸、複数の地緯糸、地経糸方向に平行な第一側縁、地経糸方向に平行な第二側縁を有する抄紙用フェルトの幅よりも狭い幅の帯状体を、前記第一側縁及び前記第二側縁が隣接するように螺旋状に右巻きに巻回することによって、側縁同士を接合し形成される基布であり、前記第二基布は、複数の地経糸、複数の地緯糸、地経糸方向に平行な第一側縁、地経糸方向に平行な第二側縁を有する抄紙用フェルトの幅よりも狭い幅の帯状体を、前記第一側縁及び前記第二側縁が隣接するように螺旋状に左巻きに巻回することによって、側縁同士を接合し形成される基布であり、前記第三基布は、少なくとも、抄紙用フェルトの機械方向に平行な複数の地経糸を有する基布である、抄紙用フェルト。
（２）前記第三基布の経糸方向強力が、前記第一基布の経糸方向強力または前記第二基布の経糸方向強力の１０％以上である、（１）に記載の抄紙用フェルト。
【００１８】
（３）前記第三基布の経糸方向強力が、前記第一基布の経糸方向強力または前記第二基布の経糸方向強力の５０％以上である、（１）または（２）に記載の抄紙用フェルト。
（４）前記第三基布の経糸方向強力が、前記第一基布の経糸方向強力または前記第二基布の経糸方向強力の１００％以上である、（１）から（３）のいずれか一つに記載の抄紙用フェルト。
【００１９】
（５）前記第一基布の帯状体及び前記第二基布の帯状体の幅寸法が、５０ｃｍ〜１５０ｃｍである、（１）から（４）のいずれか一つに記載の抄紙用フェルト。
（６）前記第一基布の帯状体及び前記第二基布の帯状体の幅寸法が、同一である、（１）から（５）のいずれか一つに記載の抄紙用フェルト。
【００２０】
（７）前記第一基布の帯状体及び前記第二基布の帯状体が、同一の材質である、（１）から（６）のいずれか一つに記載の抄紙用フェルト。
（８）前記第一基布の帯状体及び前記第二基布の帯状体が、同一の織布である、（１）から（７）のいずれか一つに記載の抄紙用フェルト。
【００２１】
（９）前記第三基布は、複数の地経糸、複数の地緯糸、地緯糸方向に平行な第一端縁、地緯糸方向に平行な第二端縁、地経糸方向に平行な第一側縁、地経糸方向に平行な第二側縁を有する抄紙用フェルトの幅よりも狭い幅の帯状体を、前記第一端縁及び前記第二端縁が隣接するように、端縁同士を接合して得られるＮ以上（Ｎ≧２）の環状帯状体を機械横断方向に配置し、Ｎ−１番目の環状帯状体の前記第二側縁及びＮ番目の環状帯状体の前記第一側縁が隣接するように、側縁同士を接合し形成される基布である、（１）から（８）のいずれか一つに記載の抄紙用フェルト。
【００２２】
（１０）前記第三基布の帯状体の幅寸法が、５０ｃｍ〜５００ｃｍである、（９）に記載の抄紙用フェルト。
（１１）前記第一基布の帯状体及び前記第二基布の帯状体及び前記第三基布の帯状体の幅寸法が、同一である、（９）または（１０）に記載の抄紙用フェルト。
【００２３】
（１２）前記第一基布の帯状体及び前記第二基布の帯状体及び前記第三基布の帯状体が、同一の材質である、（９）から（１１）のいずれか一つに記載の抄紙用フェルト。
（１３）前記第三基布の帯状体が、織布である、（９）から（１２）のいずれか一つに記載の抄紙用フェルト。
【００２４】
（１４）前記第一基布の帯状体及び前記第二基布の帯状体及び前記第三基布の帯状体が、同一の織布である、（９）から（１３）のいずれか一つに記載の抄紙用フェルト。
（１５）前記第三基布は、複数の地経糸、複数の地緯糸を有し、地緯糸の長さが抄紙用フェルトの幅寸法を規定するように、形成される基布である、（１）から（８）のいずれか一つに記載の抄紙用フェルト。
【００２５】
（１６）前記第三基布が、前記第一基布と前記第二基布の間に配置される、（１）から（１５）のいずれか一つに記載の抄紙用フェルト。
（１７）前記第三基布が、基布の最上部に配置される、（１）から（１５）のいずれか一つに記載の抄紙用フェルト。
（１８）前記第三基布が、基布の最下部に配置される、（１）から（１５）のいずれか一つに記載の抄紙用フェルト。
【００２６】
（１９）第一基布と第二基布と第三基布と第四基布を有し、前記第一基布、前記第二基布、前記第三基布、前記第四基布が任意の順序で積層された抄紙用フェルトの基材と少なくとも一層のバット層が一体化された抄紙用フェルトであって、前記第四基布は、少なくとも、抄紙用フェルトの機械方向に平行な複数の地経糸、または、抄紙用フェルトの機械横断方向に平行な複数の地緯糸を有する基布である、（１）から（１５）のいずれか一つに記載の抄紙用フェルト。
【発明の効果】
【００２７】
以上の構成により、第三基布の抄紙用フェルトの機械方向に平行な経糸が、本発明の抄紙用フェルト及び基布層の機械方向強力を補うことで、抄紙用フェルトの幅よりも狭い帯状体を、螺旋状に巻回することによって形成された基布の経糸が、機械方向に平行になろうとする力に対抗し、基布やフェルトの製造時あるいはフェルトの使用時に皺入りや片寄りが発生しない抄紙用フェルトの基布および抄紙用フェルトを提供することができる。
【図面の簡単な説明】
【００２８】
【図１】本発明の抄紙用フェルトの一例を示す斜視図である。
【図２】本発明の抄紙用フェルトの基布の部分的一例とその製法を示す上面図である。
【図３】本発明の抄紙用フェルトの基布の別の部分的一例とその製法を示す上面図である。
【発明を実施するための形態】
【００２９】
以下、図面を参照して本発明の実施形態について詳細に説明するが、本発明は、これらに限定されるものではない。
また、本明細書において別様に定義されない限り、本明細書で用いる全ての技術用語及び科学用語は、当業者が通常理解しているものと同じ意味を有する。本明細書中で参照する全ての特許、出願及び他の出版物（インターネットから入手可能な情報を含む）は、その全体を参照により本明細書に援用する。
【００３０】
図１は、本発明による抄紙用フェルトの一例を示す斜視図である。このフェルト１は、第一基布１０が基布の最上部（湿紙面側３）に、第二基布２０が基布の最下部（ロール面側４）に、第三基布３０（図示せず）が、前記第一基布１０と前記第二基布２０の間に配置されるように積層されたフェルトの基布２と、バット層５が一体化された抄紙用フェルトである。また、フェルト１は、シームループを有さない。これにより、フェルト１の製造難易度をより低くし、シームループを構成するための時間を省略して製造コストを低減させることができる。一方で、フェルト１は、後に詳述する第一基布１０、第二基布２０および第三基布３０を有する基布２により、基布やフェルトの製造時あるいはフェルトの使用時における皺入りや片寄りの発生が防止されている。
【００３１】
なお、図１においては、理解を容易とするために、複数の地経糸１３、２３並びに複数の地緯糸１４、２４及びバット層５の一部を省略して記載している。バット層５は、実際は、基布２の少なくとも湿紙面側３の全面に均一に配置されている。
【００３２】
図２は、本発明による抄紙用フェルトの基布２の一部である第一基布１０の一例及びその製造方法を示す上面図である。図２に示すように、第一基布１０は、複数の地経糸１３、複数の地緯糸１４、第一側縁１１、第二側縁１２を有する抄紙用フェルトの幅Ｗｆよりも狭い幅Ｗｓ１を有する帯状体１５を、前記第一側縁１１及び前記第二側縁１２が隣接するように螺旋状に巻回することによって側縁同士を接合し、形成される。
【００３３】
第一基布１０は、帯状体１５の端部Ｍ０を起点として、２本の平行に配置されたロール（フェルト丈寸法Ｌを規定するロール）に対し、帯状体１５の第一側縁１１及び第二側縁１２が隣接するように螺旋状に、ロール７並びに帯状体のストックロール８を回転させながら、フェルトの幅Ｗｆが確保されるまで巻回して接合形成される。なお、この時、ストックロール８は、第一基布１０の製作状況に合わせ、左方向に移動する。
【００３４】
また、図２に例示した第一基布１０は、帯状体１５を右巻きで螺旋状に巻回して形成された基布であるが、ここでいう右巻きとは、帯状体の巻初めの方向から、ロール７、ストックロール８を見た場合、ロール７及びストックロール８を右回転することで、第一基布１０が形成される方向をいう。
【００３５】
隣接する各帯状体１５の側縁同士の接合方法は、特に限定されないが、隣接する帯状体１５の各側縁部について、ミシン縫合、溶融、溶着等を利用して接合することができる。また、各側縁部は隙間が生じない程度に隣接され、接合されることが好ましい。なお、各側縁部が数ｍｍ程度重なっていてもよく、本明細書においては、この各側縁部が数ｍｍ程度重なる場合についても、隣接されていることに含むこととする。
【００３６】
本発明による抄紙用フェルトの基布２の一部である第二基布２０は、複数の地経糸２３、複数の地緯糸２４、第一側縁２１、第二側縁２２を有する抄紙用フェルトの幅Ｗｆよりも狭い幅Ｗｓ２を有する帯状体２５を、前記第一側縁２１及び前記第二側縁２２が隣接するように螺旋状に巻回することによって側縁同士を接合し、形成される。
【００３７】
第二基布２０についても、第一基布１０と同様に製造することができる。即ち、第二基布２０について、図２で例示した第一基布１０と同様に、帯状体２５の端部Ｍ０を起点として２本の平行に配置されたロール（フェルト丈寸法Ｌを規定するロール）に対し、帯状体２５の第一側縁２１及び第二側縁２２が隣接するように螺旋状に、ロール７並びに帯状体のストックロール８を回転させながら、フェルトの幅Ｗｆが確保されるまで巻回して接合形成される（図示せず）。なお、この時、ストックロール８は、第二基布２０の製作状況に合わせ、左方向に移動する。そして、本発明の抄紙用フェルト１の基布２の第二基布２０の巻回方向は、第一基布１０の巻回方向と逆向きにするので、この場合、第二基布２０について表裏反転する。
【００３８】
また、第二基布２０については、第二基布２０の帯状体２５の端部Ｍ０を２本の平行に配置されたロール（フェルト丈寸法Ｌを規定するロール）の左側に配置し（図２に対して左右対称となるように配置）、帯状体２５の第一側縁２１及び第二側縁２２が隣接するように、ロール７並びに帯状体のストックロール８を回転させながら、フェルトの幅Ｗｆが確保されるまで巻回して接合形成することもできる（図示せず）。なお、この時、ストックロール８は、第二基布２０の製作状況に合わせ、右方向に移動する。このようにして得られた第二基布２０は、第一基布１０と巻回方向が異なるため、この場合、第二基布２０を表裏反転する必要はない。
【００３９】
いうまでもないが、第一基布１０の帯状体１５の地経糸１３と機械方向（ＭＤ）に平行なフェルト丈寸法方向には、帯状体の幅Ｗｓ１とフェルト丈寸法Ｌで規定される一定の角度がついていることは自明であり、また同様に、第二基布２０の帯状体２５の地経糸２３と機械方向（ＭＤ）に平行なフェルト丈寸法方向には、帯状体の幅Ｗｓ２とフェルト丈寸法Ｌで規定される一定の角度がついていることは自明である。なお、帯状体の幅Ｗｓ１、Ｗｓ２の幅寸法は、５０ｃｍ〜１５０ｃｍとすることが好ましい。幅が狭すぎると抄紙用フェルトの幅Ｗｆを確保するまでの巻回回数が多くなることで手間がかかり、幅が広すぎると帯状体の地経糸と機械方向（ＭＤ）の角度が大きくなり、帯状体の地経糸が機械方向（ＭＤ）に平行になろうとする力がより大きく働き、皺入りの問題が大きくなる。また、帯状体１５、２５の幅は同一であってもよい。
【００４０】
帯状体１５、２５の地経糸１３、２３、地緯糸１４、２４、バット層５の素材としては、ポリエステル（ポリエチレンテレフタレート、ポリブチレンテレフタレート等）、脂肪族ポリアミド（ポリアミド６、ポリアミド６６、ポリアミド１１、ポリアミド１２、ポリアミド６１２等）、芳香族ポリアミド（アラミド）、ポリフッ化ビニリデン、ポリプロピレン、ポリエーテルエーテルケトン、ポリテトラフルオロエチレン、ポリエチレン、羊毛、綿、金属等を使用することができる。地経糸１３、２３、地緯糸１４、２４は、上記素材のモノフィラメント単糸、モノフィラメント撚糸、マルチフィラメント単糸、マルチフィラメント撚糸として使用することができる。また、地経糸１３、２３、地緯糸１４、２４、バット層５の繊度や長さといった形体は、特に限定されず、設計に応じて適宜選択することができる。また、帯状体１５、２５の材質は、異なっていてもよいが、同一であってもよい。帯状体１５、２５の材質が同一であることにより、異なる種類の帯状体を準備する作業を省くことができる。
【００４１】
帯状体１５、２５の形態は、上記素材を用いた織布とすることができるが、織布に限定せず、地経糸と地緯糸が上下に配置された格子状素材を用いることも可能である。また、帯状体１５、２５は、同一の織布であってもよい。これにより、異なる種類の帯状体を準備する作業を省くことができる。
【００４２】
図３は、本発明による抄紙用フェルトの基布２の一部である第三基布３０の一例及びその製造方法を示す上面図である。図３に示すように、第三基布３０は、複数の地経糸３３、複数の地緯糸３４、第一端縁３６、第二端縁３７、第一側縁３１、第二側縁３２、抄紙用フェルトの幅Ｗｆよりも狭い幅Ｗｓ３を有する帯状体３５を、前記第一端縁３６及び前記第二端縁３７が隣接するように、端縁同士を接合して得られるＮ以上（図３ではＮ＝８）の環状帯状体をＣＭＤに配置し、Ｎ−１番目の環状帯状体の前記第二側縁３２及びＮ番目の環状帯状体の前記第一側縁３１が隣接するように、側縁同士を接合し、形成される。
【００４３】
隣接する各帯状体３５の側縁同士の接合方法、及び各帯状体３５の第一端縁、第二端縁の接合方法は、特に限定されないが、隣接する帯状体３５の各側縁部については、ミシン縫合、溶融、溶着等を利用して接合することができ、各端縁部については、各側縁部と同一の手段や縫合等を利用して接合することができる。また、各側縁部、各端縁部は隙間が生じない程度に隣接され、接合されることが好ましい。なお、各側縁部が数ｍｍ程度重なっていてもよく、本明細書においては、この各側縁部が数ｍｍ程度重なる場合についても、隣接されていることに含むこととする。隣接する各帯状体３５の各端縁部の位置関係は、特に限定されないが、第三基布３０のＭＤ強度を確保する上で、分散配置する、すなわち隣接する各縁端部をＭＤにおいて異なる位置に配置することが好ましい。また、図３において、第一端縁、第二端縁は、ＣＭＤに平行になるように接合されているが、ＣＭＤに角度を有して接合してもよい。こうすることで、接合部が加圧部に一度に侵入せず、徐々に侵入することで振動発生を防止することができる。
【００４４】
帯状体３５の幅Ｗｓ３は、特に限定されないが、幅が狭すぎると抄紙用フェルトの幅Ｗｆを確保するまでに必要な環状帯状体の数が多くなることで手間がかかり、一方幅が広いとこの手間が省略できる。従って、この手間の省略を目的に、帯状体３５の幅Ｗｓ３の幅寸法を抄紙用フェルトの幅Ｗｆとし、両端縁を接合または縫合することで第三基布３０を形成することもできる。また、帯状体の生産性の観点から、帯状体の幅Ｗｓ３は、帯状体の幅Ｗｓ１及び帯状体の幅Ｗｓ２と同一とすることもできる。具体的には、帯状体の幅Ｗｓ３は、例えば５０ｃｍ〜５００ｃｍ、好ましくは５０ｃｍ〜１５０ｃｍとすることができる。
【００４５】
図３は、本発明による抄紙用フェルトの基布２の第三基布３０の一例として、複数の地経糸３３、複数の地緯糸３４、第一端縁３６、第二端縁３７、第一側縁３１、第二側縁３２、抄紙用フェルトの幅Ｗｆよりも狭い幅Ｗｓ３を有する帯状体の端縁同士を接合した環状帯状体をＣＭＤに配置し、環状帯状体の側縁同士を接合して形成される基布を例示したが、第三基布はこれに限定されず、例えば第三基布３０は、帯状体３５の幅Ｗｓ３を抄紙用フェルトの幅Ｗｆとし、袋織で製織することもできる。なお、この場合において、帯状体３５の地緯糸３４の長さは抄紙用フェルト１の幅寸法を規定するものとなる。
【００４６】
帯状体３５の地経糸３３および地緯糸３４の素材としては、帯状体１５、２５で使用可能なものとすることができ、帯状体１５または帯状体２５の素材と同一とすることもできる。帯状体３５の形態は、上記素材を用いた織布とすることができるが、織布に限定せず、地経糸と地緯糸が上下に配置された格子状素材を用いることも可能である。さらに、第三基布３０は、経糸のみからなる糸列を溶融フィルムや溶融繊維で固定したものとすることもできる。
【００４７】
帯状体３５は、例えば帯状体１５、２５と同一の織布であることができる。この場合においても、帯状体３５のための織布を別途用意することを省略することができる。また、後述する第三基布３０の経糸方向強力を容易に確保することができる。
【００４８】
本実施形態において、第三基布３０の地経糸３３は抄紙用フェルト１の機械方向に並行である。これにより、抄紙用フェルト１および基布２の機械方向強力を補うことができる。この結果、第一基布１０および第二基布２０の地経糸１３、２３が機械方向に並行となろうとする力に対し、地経糸３３が対抗し、基布２や抄紙用フェルト１の皺入りや片寄りを防止することができる。
【００４９】
また、第三基布３０の経糸方向強力は、第一基布１０または第二基布２０の経糸方向強力の１０％以上であることが好ましい。これにより、より確実に抄紙用フェルト１および基布２の機械方向強力を補うことができ、基布２や抄紙用フェルト１の皺入りや片寄りをより確実に防止することができる。第三基布３０の経糸方向強力は、好ましくは第一基布１０または第二基布２０の経糸方向強力の３０％以上、より好ましくは５０％以上、さらに好ましくは１００％以上である。なお、上限は、規定されるものではないが、例えば素材確保の観点から、第三基布３０の経糸方向強力は、第一基布１０または第二基布２０の経糸方向強力の２００％以下、好ましくは１７０％以下であることができる。
【００５０】
なお、基布の「強力」は、切断強力を意味する。また、基布の強力は、例えば各基布について、経糸方向に３０ｃｍ、緯糸方向に５ｃｍで基布をサンプリングし、基布サンプルの２ヶ所の経方向端部を試験機でつかみ、２００ｍｍ／分で経糸方向に引っ張ることにより測定することができる。
【００５１】
図１は、本発明による抄紙用フェルトの一例として、第一基布１０が基布の最上部（湿紙面側３）に、第二基布２０が基布の最下部（ロール面側４）に、第三基布３０（図示せず）が、前記第一基布１０と前記第二基布２０の間に配置されるように積層されたフェルトの基布２と、バット層５が一体化された抄紙用フェルトとして説明したが、本発明はこれに限定されず、前記第一基布１０、前記第二基布２０、前記第三基布３０について任意の順で配置することも可能である。具体的には、第三基布３０が基布２の最上部に配置されるまたは、最下部に配置される態様が挙げられる。この時、各基布の丈寸法は、各基布設計にもよるが、一般的にロール面側から湿紙面側に向かうにつれて、若干丈寸法を大きくすると綺麗に積層配置される。
【００５２】
所望する抄紙用フェルト１は、上記第一基布１０、第二基布２０、第三基布３０を任意の順に配置して得られた基布２にバット層５を一体化し、フェルト走行方向に平行なフェルト巾寸法Ｗｆで切断して得ることができる。なお、フェルト巾寸法Ｗｆの切断は、第一基布１０、第二基布２０及び第三基布３０の個々について実施してもよいが、通常この場合、後工程での寸法変化を考慮し、各層の基布層の幅寸法について、フェルト巾寸法Ｗｆよりも広い幅を確保し、最終工程で所望するフェルト巾寸法Ｗｆで切断する。
【００５３】
フェルト１の目付は、特に限定されないが、通常５００ｇ／ｍ２〜２０００ｇ／ｍ２で製作され、抄紙する紙のグレードやフェルトが抄紙機で使用されるパートによって適宜選択される。フェルト１の厚みは、特に限定されないが、主として目付に応じて、通常１．５〜５．０ｍｍで製作される。
【００５４】
本発明の別の態様として、図１に示した第一基布、第二基布及び第三基布からなる基布２に、更に第四基布を追加して基布２を構成することも可能である。この場合において、第一基布から第四基布は任意の順序で積層されることができる。また、第四基布は、抄紙用フェルトの機械方向に平行な複数の地経糸、または、抄紙用フェルトの機械横断方向に平行な複数の地緯糸を有していてもよい。
【００５５】
第四基布の形態は、第一基布、第二基布に用いることのできる素材からなる織布とすることもできるが、織布に限定せず、地経糸と地緯糸が上下に配置された格子状素材や、経糸のみまたは緯糸のみからなる糸列を、溶融フィルムや溶融繊維で固定したものとすることもできる。
【実施例】
【００５６】
＜帯状体１＞
経糸：ポリアミド６からなる１２００ｄｔｅｘのモノフィラメント単糸
緯糸：ポリアミド６からなる１２００ｄｔｅｘのモノフィラメント単糸
組織：経糸４０本／５ｃｍ、緯糸４０本／５ｃｍ、１／１平組織、帯状体幅１００ｃｍ
【００５７】
＜帯状体２＞
経糸：ポリアミド６からなる３３０ｄｔｅｘのモノフィラメント単糸２本撚り合せたものを、３つ撚り合わせた、モノフィラメント撚糸
緯糸：ポリアミド６からなる１０００ｄｔｅｘのモノフィラメント単糸
組織：経糸４０本／５ｃｍ、緯糸４０本／５ｃｍ、２／２綾組織、帯状体幅１００ｃｍ
【００５８】
＜基布１＞
上記帯状体１をフェルト丈寸法が１５．０ｍとなるように螺旋状に右巻きに巻回させながら、第一側縁部と第二側縁部をミシンで縫合した。基布１の巾寸法は６５０ｃｍで準備した（フェルト巾寸法は、５２０ｃｍ）。
【００５９】
＜基布２＞
上記帯状体１をフェルト丈寸法が１５．０ｍとなるように螺旋状に左巻きに巻回させながら、第一側縁部と第二側縁部をミシンで縫合した。基布２の巾寸法は６５０ｃｍで準備した（フェルト巾寸法は、５２０ｃｍ）。
【００６０】
＜基布３＞
上記帯状体１の長さが１５．０ｍ（フェルト丈寸法が１５．０ｍ）となるように切断し、第一端縁と第二端縁を接合して得られる環状帯状体を準備し、これをＣＭＤに７つ配置し、隣り合う環状帯状体の側縁同士をミシンで縫合した。その後、基布３の巾方向両端部を２５ｃｍずつ切断し、基布３の幅寸法を６５０ｃｍとした（フェルト巾寸法は５２０ｃｍ）。
【００６１】
＜基布４＞
上記帯状体２をフェルト丈寸法が１５．０ｍとなるように螺旋状に右巻きに巻回させながら、第一側縁部と第二側縁部をミシンで縫合した。基布３の巾寸法は６５０ｃｍで準備した（フェルト巾寸法は、５２０ｃｍ）。
【００６２】
＜基布５＞
上記帯状体２をフェルト巾寸法が１５．０ｍとなるように螺旋状に左巻きに巻回させながら、第一側縁部と第二側縁部をミシンで縫合した。基布４の幅寸法は６５０ｃｍで準備した（フェルト巾寸法は、５２０ｃｍ）。
【００６３】
＜基布６＞
経糸：ポリアミド６からなる５５０ｄｔｅｘのモノフィラメント単糸
緯糸：ポリアミド６からなる５００ｄｔｅｘのモノフィラメント単糸
組織：経糸６０本／５ｃｍ、緯糸４２本／５ｃｍ、１／１平組織
フェルト丈寸法が１５．０ｍ、巾寸法が６５０ｃｍとなるように袋織製織で準備した（フェルト巾寸法は５２０ｃｍ）。
【００６４】
＜基布７＞
経糸：ポリアミド６からなる３３０ｄｔｅｘのモノフィラメント単糸２本撚り合せたものを、２つ撚り合わせたモノフィラメント撚糸
緯糸：ポリアミド６からなる３３０ｄｔｅｘのモノフィラメント単糸３本を撚り合わせたモノフィラメント撚糸
組織：経糸３６本／５ｃｍ、緯糸４０本／５ｃｍ、１／１平組織
フェルト丈寸法が１５．０ｍ、巾寸法が６５０ｃｍとなるように袋織製織で準備した（フェルト巾寸法は５２０ｃｍ）。
【００６５】
実施例１〜４、比較例１〜２の各基布について、上記基布１〜７を用いて以下のとおり準備した。
＜実施例１の基布＞
湿紙面側から順に、基布１、基布３、基布２を積層配置し、３層構造基布を準備した。
＜実施例２の基布＞
湿紙面側から順に、基布６、基布１、基布２を積層配置し、３層構造基布を準備した。
＜実施例３の基布＞
湿紙面側から順に、基布６、基布４、基布５を積層配置し、３層構造基布を準備した。
＜実施例４の基布＞
湿紙面側から順に、基布７、基布１、基布２を積層配置し、３層構造基布を準備した。
＜比較例１の基布＞
湿紙面側から順に、基布１、基布２を積層配置し、２層構造基布を準備した。
＜比較例２の基布＞
湿紙面側から順に、基布１、基布２、基布２を積層配置し、３層構造基布を準備した。
【００６６】
実施例１〜４、比較例１〜２の各基布について、各基布の湿紙側面に繊度１１ｄｔｅｘ、ポリアミド６の短繊維バット５００ｇ／ｍ２、ロール面側に繊度１３ｄｔｅｘポリアミド６の短繊維バット２００ｇ／ｍ２を、ニードリングによって絡合一体化させ、乾燥・キュアー工程を得て、最終的にフェルト巾寸法５２０ｃｍで切断した。
【００６７】
なお、基布３、基布６および基布７は、経糸が機械方向に対し平行に配置されている。また、基布３は、基布１および基布２と同一の帯状体で構成されているため、実施例１において基布３の経糸方向強力は、基布１および基布２の経糸方向強力の１００％である。さらに、実施例２においては、基布６の経糸方向強力は、基布１および基布２の経糸方向強力の５０．０％である。さらに、実施例３においては、基布６の経糸方向強力は、基布４および基布５の経糸方向強力の１４．５％である。さらに、基布７の経糸方向強力は、基布１および基布２の経糸方向強力の１６９％であった。
【００６８】
実施例１、２、３および４については、製造時の問題点は発生しなかった。しかし、比較例１については、フェルトキュア時に若干フェルトが波打ち、高張力を掛けることができずフェルトの丈寸法を確保することができなかった。またこの場合、設計によっては、フェルトキュア時に皺入りが発生する可能性が高い。更に比較例２では、フェルトキュア時に皺入りが発生し、抄紙用フェルトとしての使用は不可能であった。
【符号の説明】
【００６９】
Ｍ０：帯状体丈方向端部、Ｌ：抄紙用フェルトの丈寸法、Ｗｆ：抄紙用フェルトの幅寸法、Ｗｓ１：第一基布の帯状体幅寸法、Ｗｓ２：第二基布の帯状体幅寸法、Ｗｓ３：第三基布の帯状体幅寸法、１：抄紙用フェルト、２：基布、３：湿紙側面、４：ロール側面、５：バット層、６：抄紙用フェルト巾方向端部、７：ロール、８：帯状体ストックロール、１０：第一基布、１１：第一基布の帯状体の第一側縁、１２：第一基布の帯状体の第二側縁、１３：第一基布の帯状体の地経糸、１４：第一基布の帯状体の地緯糸、１５：第一基布の帯状体、２０：第二基布、２１：第二基布の帯状体の第一側縁、２２：第二基布の帯状体の第二側縁、２３：第二基布の帯状体の地経糸、２４：第二基布の帯状体の地緯糸、２５：第二基布の帯状体、３０：第三基布、３１：第三基布の帯状体の第一側縁、３２：第三基布の帯状体の第二側縁、３３：第三基布の帯状体の地経糸、３４：第三基布の帯状体の地緯糸、３５：第三基布の帯状体、３６：第三基布の帯状体の第一端縁、３７：第三基布の帯状体の第二端縁
【図１】
2017197896.tif 000003
【図２】
2017197896.tif 000004
【図３】
2017197896.tif 000005